(57)【要約】【課題】小物物品をソフトに収納できると共に、バッグや衣類などに確実に装着できるクリップ付き小物入れを提供する。【解決手段】クリップ付き小物入れ１は、小物物品を収納する収納部１５と該収納部１５を開閉する蓋部１１とからなる小物入れ本体１０と、該小物入れ本体１０に埋設固着した基部２１と該基部２１と接続して対向する押圧部２５とからなるクリップ本体とを有し、前記小物入れ本体１０は軟質弾性材であり、前記クリップ本体２０は硬質弾性材である。前記蓋部１１は、前記収納部１５の開口端とヒンジにより開閉自在の被せ蓋であり、該蓋部の内側面が、前記開口端の外側面に当接して該小物入れ本体１０を閉塞する。前記軟質弾性材は、熱可塑性エラストマーであることが好ましく、前記硬質弾性材は、ポリカーボネートであることが好ましい。【選択図】図２
0003170393.tif 000002
【実用新案登録請求の範囲】
【請求項１】
小物物品を収納する収納部と該収納部を開閉する蓋部とからなる小物入れ本体と、
該小物入れ本体に埋設固着した基部と該基部と接続して対向する押圧部とからなるクリップ本体と、
を有するクリップ付き小物入れであって、
前記小物入れ本体は軟質弾性材であり、前記クリップ本体は硬質弾性材であることを特徴とするクリップ付き小物入れ。
【請求項２】
前記蓋部は、前記収納部の開口端とヒンジにより開閉自在の被せ蓋であり、該蓋部の内側面が、前記開口端の外側面に当接して前記小物入れ本体を閉塞する請求項１に記載のクリップ付き小物入れ。
【請求項３】
前記閉塞に際して、前記開口端に水平に設けた突設部と、前記内側面に設けた凹部が、係合固定される請求項２に記載のクリップ付き小物入れ。
【請求項４】
前記軟質弾性材は、熱可塑性エラストマーである請求項１乃至３のうちのいずれか１項に記載のクリップ付き小物入れ。
【請求項５】
前記硬質弾性材は、ポリカーボネートである請求項１乃至４のうちのいずれか１項に記載のクリップ付き小物入れ。
【考案の詳細な説明】
【技術分野】
【０００１】
本考案はクリップ付き小物入れに関する。更に詳しくは、小物物品をソフトに収納できると共に、バッグや衣類などに確実に装着できるクリップ付き小物入れに関する。
【背景技術】
【０００２】
鍵、ＳＤカード、イヤホンなどの小物物品は、バッグや、衣類のポケットなどに収納して携帯することが多い。しかし、これらの小物物品は、バッグの中に一旦しまい込むと、取り出そうとしても、すぐに見つからず、手探りで探したりすることも多い。また、衣類のポケットなどに収納した場合には、体の動きなどにより、脱落して紛失することもある。
【０００３】
ここで、小物物品を収納可能な収納部付きクリップが提案されている（例えば、特許文献１参照。）。このクリップは、その背面に小物物品を収納可能な収納部を取付け、携帯可能としたものである。
この収納部に小物物品を入れ、衣類又はバッグ内にクリップを挟んで持ち運ぶことができる。
【先行技術文献】
【特許文献】
【０００４】
【特許文献１】実開平６−８６９６９号公報
【考案の概要】
【考案が解決しようとする課題】
【０００５】
しかし、この収納部付きクリップは、収納部が別体に設けたホルダーで支えられてクリップに取り付けられており、収納部がクリップに確実に取り付けられているとはいえない。
本考案は、上記の問題を解決するものであり、小物物品をソフトに収納できると共に、バッグや衣類などに確実に装着できるクリップ付き小物入れを提供することを目的とする。
【課題を解決するための手段】
【０００６】
１．小物物品を収納する収納部と該収納部を開閉する蓋部とからなる小物入れ本体と、
該小物入れ本体に埋設固着した基部と該基部と接続して対向する押圧部とからなるクリップ本体と、
を有するクリップ付き小物入れであって、
前記小物入れ本体は軟質弾性材であり、前記クリップ本体は硬質弾性材であることを特徴とするクリップ付き小物入れ。
２．前記蓋部は、前記収納部の開口端とヒンジにより開閉自在の被せ蓋であり、該蓋部の内側面が、前記開口端の外側面に当接して前記小物入れ本体を閉塞する１.に記載のクリップ付き小物入れ。
３．前記閉塞に際して、前記開口端に水平に設けた突設部と、前記内側面に設けた凹部が、係合固定される２．に記載のクリップ付き小物入れ。
４．前記軟質弾性材は、熱可塑性エラストマーである１．乃至３．のうちのいずれか１項に記載のクリップ付き小物入れ。
５．前記硬質弾性材は、ポリカーボネートである１．乃至４．のうちのいずれか１項に記載のクリップ付き小物入れ。
【考案の効果】
【０００７】
本考案のクリップ付き小物入れは、小物物品を収納する収納部と該収納部を開閉する蓋部とからなる小物入れ本体と、該小物入れ本体に埋設固着した基部と該基部と接続して対向する押圧部とからなるクリップ本体と、を有するクリップ付き小物入れであって、前記小物入れ本体は軟質弾性材であり、前記クリップ本体は硬質弾性材であるため、小物物品をソフトに収納できると共に、バッグや衣類などに確実に装着できる。
また、前記蓋部が、前記小物入れ本体の開口端とヒンジにより開閉自在の被せ蓋であり、該蓋部の内側面が、前記開口端の外側面に当接して前記小物入れ本体を閉塞する場合には、より確実に小物の脱落を防ぐことができる。
前記閉塞に際して、前記開口端に水平に設けた突設部と、該被せ蓋内側部に設けた凹部が、係合固定される場合には、更に確実に小物の脱落を防ぐことができる。
【０００８】
前記軟質弾性材が、熱可塑性エラストマーである場合には、収納する小物に対しては一層衝撃を和らげ、携帯する者に対してもソフトな感触を与える効果が得られる。
前記硬質弾性材が、ポリカーボネートである場合には、堅固であるとともに、弾力性があり、復元力も有するため、クリップ部分の挟持効果を長期に亘って維持することができる。
なお、前記ポリカーボネートが透明素材である場合には、この素材部分を通して収納物品を確認することができる。
【図面の簡単な説明】
【０００９】
【図１】本考案の実施形態に係るクリップ付き小物入れの正面方向からの斜視図である。
【図２】本考案の実施形態に係るクリップ付き小物入れの背面方向からの斜視図である。
【図３】本考案の実施形態に係るクリップ付き小物入れの蓋部を開けた状態の斜視図である
【図４】本考案の実施形態に係るクリップ付き小物入れの蓋部を開けた状態の側面図である。
【図５】本考案の実施形態に係るクリップ付き小物入れの取手部の中央縦断面図である。
【図６】本考案の実施形態に係るクリップ付き小物入れの使用例を示す説明図である。
【考案を実施するための形態】
【００１０】
以下、本考案を実施するための形態を図に基づいて詳細に説明する。これらの図中の記号（または番号）は、共通する部材の場合は省略している。また、図中において部材が明瞭である場合も省略している。これらの図は本願考案を説明するために模式的に描かれたものであり、本願考案がこれらの図に拘束されるものではない。
【００１１】
図１に示すクリップ付き小物入れ１は、本考案を具体化している。クリップ付き小物入れ１は、図２に示すように、小物物品を収納する収納部１５と該収納部１５を開閉する蓋部１１とからなる小物入れ本体１０と、該小物入れ本体１０に埋設固着した基部２１と該基部２１と接続して対向する押圧部２５とからなるクリップ本体２０と、を有する。また、前記小物入れ本体は軟質弾性材であり、前記クリップ本体は硬質弾性材である。
【００１２】
［１］小物入れ本体１０
前記「小物入れ本体１０」は、小物物品を収納する収納部１５と該収納部１５を開閉する蓋部１１とからなる小物物品を収納する部位である。小物物品が収納できればその形状は特に限定はないが、携帯電話機のような、扁平状の通信機器を収納するには、やや縦長扁平形状であることが好ましい。
また、メモリーカードのような特に小さな物品を収納するには、取り出しやすくするため、縦方向は短い直方形状であることが好ましい。
【００１３】
小物入れ本体は、軟質弾性材であれば、特に限定はなく、軟質の合成樹脂及び合成ゴムなどを使用することができるが、熱可塑性エラストマーであることが好ましい。熱可塑性エラストマーであれば、射出成形が可能で、成形性に優れている。
【００１４】
蓋部１１は、図３に示すように、収納部１５の開口端とヒンジ１７により開閉自在の被せ蓋であり、蓋部１１の内側面１１ａが、前記開口端の外側面１５ａに当接して小物入れ本体１０を閉塞する。こうすることで、蓋部１１で小物入れ本体１０を確実に閉塞することができる。また、蓋部１１及び収納部１５は軟質弾性材であるため、摩擦力が大きく互いに滑りにくく、閉塞に優れている。
ヒンジ部１７は、図４に示すように、蓋部１１と収納部１５の境界の薄肉部である。すなわち、蓋部１１と収納部１５はヒンジ部１７で接続して、一体に形成されている。
【００１５】
図３に示すように、閉塞に際して、開口端に水平に設けた突設部１５ｂと、蓋部１１の内側面１１ａに設けた凹部１１ｂが、係合固定されることが好ましい。こうすることで更に確実に蓋部１１を収納部１５に閉塞固定できる。
【００１６】
［２］クリップ本体２０
前記「クリップ本体２０」は、図５に示すように、小物入れ本体１０に埋設固着した基部２１と該基部２１と接続して対向する押圧部２５とからなる。この基部２１は、縦長の板状で、小物入れ本体１０に埋設固着されている。このため、小物入れ本体１０と確実に固着されており、クリップ本体２０から小物入れ本体１０が脱落することがない。
この基部２１と上部で接続し、対向するように押圧部２５が、基部２１の下方に向かって緩やかに突出するように形成されている。
この基部２１と押圧部２５で、例えば、バッグの上端部、衣類のポケット、ベルトなどを押圧挟持して装着することができる。
また、図５に示すように、押圧部２５の下部に突起部２５ａを備えることができる。突起部２５ａは、使用に際して、基部２１を強く押圧するため、より確実に装着することができる。
【００１７】
クリップ本体２０は、硬質弾性材である。硬質弾性材であることにより、耐衝撃性に優れたものとなる。硬質弾性材としては、ＡＢＳ樹脂、ポリカーボネート樹脂等が挙げられ、これらの中でも特に、ポリカーボネート樹脂であることが好ましい。ポリカーボネート樹脂であれば、図に示すように、挟持するために繰り返し押し広げる動作を行っても、復元性に優れている。また、透明度が高く、デザイン的に優れた高級感を表現することもできる
【００１８】
図６は、ポケット５０の上端部５０ａにクリップ付き小物入れ１を装着した使用状態を示している。音楽プレーヤーを収納部に入れておき、イヤホン６０により音楽を聴くこともできる。
【符号の説明】
【００１９】
１        クリップ付き小物入れ
１０      小物入れ本体
１１      蓋部
１１ａ    内側面
１１ｂ    凹部
１５      収納部
１５ａ    外側面
１５ｂ    突設部
１７      ヒンジ
２０      クリップ本体
２１      基部
２５      押圧部
２５ａ    突起部
５０      ポケット
５０ａ    上端部
６０      イヤホン
【図１】
0003170393.tif 000003
【図２】
0003170393.tif 000004
【図３】
0003170393.tif 000005
【図４】
0003170393.tif 000006
【図５】
0003170393.tif 000007
【図６】
0003170393.tif 000008